(57)【要約】【課題】クランプに対して過大な力が加わらず、机天板等に対して着脱しやすく、安定して固定することができるクランプ機構を提供すること。【解決手段】雄ネジ部２０が形成された軸柱２の下端部に下挟持体３２を固定し、この下挟持体３２に対向して上挟持体２６を軸柱２に沿って上下に移動可能とし、更に前記軸柱２の雄ネジ部２０と螺合する雌ネジ部２２を有する締付体２３を前記軸柱２に対して上下に昇降自在に取り付けたことで、締付体２３を締め付けることで上挟持体２６を下挟持体３２側に押し付け、これら上挟持体２６と下挟持体３２とで机の天板Ａ等を挟持するものであり、この際、締付体２３の雌ネジ部２２と雄ネジ部２０の螺合部分が上挟持体２６に対して比較的近くできることで、机の天板Ａ等は強固に挟持されることになり、また、機器たる照明装置本体１４を含む照明装置１が揺れたとしてもクランプ機構３に過大な力が加わらないようにできる。【選択図】　図３
2004060706.tif 000002
【特許請求の範囲】
【請求項１】
雄ネジ部が形成された軸柱と、この軸柱の下方に固定された下挟持体と、前記軸柱に沿って上下方向に移動可能な上挟持体と、前記雄ネジ部と螺合する雌ネジ部を有すると共に前記上挟持体と当接してこの上挟持体を下挟持体側に移動させる締付体よりなるクランプ機構。
【請求項２】
前記軸柱に対して機器が直接取り付けられていることを特徴とする請求項１記載のクランプ機構。
【発明の詳細な説明】
【０００１】
【発明が属する技術分野】
本発明は、電気スタンドや電話台等を机の天板等に固定するためのクランプ機構に関するものである。
【０００２】
【発明が解決しようとする課題】
従来、この種のクランプ機構としては、例えば実開平６−２８９３１号公報等に記載されているものが知られている。これは、アーム式電気スタンドを机等に固定するための支持具であり、コ字状の支持体の上部に保持体を取り付け、この保持体と対向する支持体の下部に締付金具が取り付けられた螺杆を設けたものであり、螺杆を操作することで締付金具と保持体とで机の縁等を挟持してこの机の縁等に取り付けられ、更に前記保持部に対してアーム式電気スタンド等の支柱を差し込むことで、この支柱を保持するものである。そして、これらのクランプ機構は、邪魔にならないように、机天板等の後縁側に取り付けられることが多い。しかしながら、これらのクランプ機構においては、クランプ機構が邪魔にならないように机天板等の後縁側に取り付けた場合、このクランプ機構の着脱操作が面倒になってしまうという問題があった。これは、クランプ機構の着脱のために操作する螺杆が支持体の下方、即ち机天板等の下方に位置してしまうためである。
【０００３】
そして、この問題点を解決するものとして、例えば実開平１−１６６１０７号公報等に記載されているものが知られている。これは、棒状スタンド立てクランプであり、略コ字形に形成された台座の上部に、上方に締め付けツマミを設けた締め付け用凸ネジ部を回動自在に螺合させたものである。そして、机天板を前記台座の下部と締め付け用凸ネジ部の下端に設けた押し当て部とで挟み、締め付けツマミを回動させることで、前記押し当て部が下降して前記台座の下部との間で机天板を締め付け、これによって机天板にクランプが固着される。そして、前記締め付け用凸ネジ部には上方が開放した取付穴が形成されており、この取付穴に電気スタンド等の下端部を差し込んでいる。そして、このようにクランプを構成することで、締め付けツマミが机天板の上方に位置することになり、クランプの着脱操作が行いやすいという利点がある。
【０００４】
これらのクランプ機構においては、その構造上、締付用凸ネジ部と台座上部の螺合部分が机天板よりも高い位置になってしまう。これは、クランプをあらゆる厚さの机天板に取り付けることができるようにするためであり、例えば厚い机天板に取り付けられるように余裕をもった寸法の台座が用いられている場合、薄い机天板に取り付けたときに螺合部分が机天板の上面よりもかなり高い位置になってしまう。しかしながら、このように螺合部分が高い位置になってしまう場合、クランプに取り付けられた電気スタンド等が揺れた時にクランプに対して大きな力が加わってしまうという問題があった。これは、揺れが機器に加わった場合、螺合部分が低い場合に比べて螺合部分が高い場合の方が、締め付け凸ネジ部の押し当て部から螺合部分までの長さが長いため、締め付け凸ネジ部が揺れやすいためである。また、電気スタンド等を取付穴に取り付けた状態でクランプの着脱操作を行うことができないという欠点があった。更に、上記クランプ機構においては、電気スタンド等の下端部を取付穴に差し込むことで、電気スタンド等をクランプに取り付けているため、電気スタンド等がぐらつきやすいという問題もあった。
【０００５】
本発明は以上の問題点を解決し、クランプに対して過大な力が加わらず、机天板等に対して着脱しやすく、安定して固定することができるクランプ機構を提供することを目的とする。
【０００６】
【課題を解決するための手段】
本発明の請求項１記載のクランプ機構は、雄ネジ部が形成された軸柱と、この軸柱の下方に固定された下挟持体と、前記軸柱に沿って上下方向に移動可能な上挟持体と、前記雄ネジ部と螺合する雌ネジ部を有すると共に前記上挟持体と当接してこの上挟持体を下挟持体側に移動させる締付体よりなるものである。
【０００７】
本発明は以上のように構成することにより、軸柱に沿って上下方向に移動可能な上挟持体と軸柱の下方に固定された下挟持体との間に机天板等が挟まれるようにし、締付体を締め付けることで、この上挟時体と下挟持体とで机天板等を締め付け、これによってクランプ機構が机天板等に固定される。
【０００８】
また、本発明の請求項２に記載のクランプ機構は、請求項１において、前記軸柱に対して機器が直接取り付けられているものである。
【０００９】
本発明は以上のように構成することにより、機器が直接取り付けられた軸柱に取り付けられた締付体を操作することで、前記軸柱に固定された下挟時体と軸柱に沿って上下に可動な上挟時体の間で机天板等が挟まれ、締め付けられる。
【００１０】
【発明の実施形態】
以下、本発明の実施形態について、図１乃至図４に基づいて説明する。なお、図１は右側面図であり、この図において左が前方、右が後方となる。１は照明装置である。この照明装置１は、軸柱２と、この軸柱２の下方に設けられたクランプ機構３と、前記上端に設けられた第一関節部４と、この第一関節部４を介して前記軸柱２の上方に取り付けられた腕部５と、この腕部５の上端に取り付けられた第二関節部６と、この第二関節部６を介して前記腕部５の上方に取り付けられた灯具７とで構成されている。前記第一関節部４は、左右方向に軸が形成されており、締付ネジ８を緩めることで腕部５が軸柱２に対して揺動可能となると共に、締付ネジ８を締めることで前記腕部５が固定される。また、前記腕部５は、その中間部に図示しないフレキシブルシャフトを有しており、このフレキシブルシャフトの外部を覆うように蛇腹部９が設けられている。また、前記第二関節部６は、その軸が前記第一関節部４と平行となるように形成されており、締付ネジ１０を緩めることで灯具７が腕部５に対して揺動可能となると共に、締付ネジ１０を締めることで前記灯具７が固定される。更に、前記灯具７は、前記第二関節部６に接続された第一支持部１１と、この第一支持部１１の前方に接続された第二支持部１２と、この第二支持部１２の上方に接続された灯具本体１３とで構成されている。そして、前記第一支持部１１に対して、前記第二支持部１２は、前記第二関節部６の軸方向と直交し且つ図１の状態において前後方向に形成された軸回りに回動自在となるように接続されている。更に、前記第二支持部１２に対して、前記灯具本体１３は、前記第二関節部６の軸方向及び第一支持部１１の軸方向と直交し且つ図１の状態において上下方向に形成された軸回りに回動自在となるように接続されている。従って、３つのそれぞれ直交する軸によって、前記灯具本体１３はあらゆる方向に向けられることになる。そして、前記第一関節部４、腕部５、第二関節部６及び灯具７によって、照明装置１における機器たる照明装置本体１４が構成される。
【００１１】
前記軸柱２及びクランプ機構３について詳述する。前記軸柱２は、雄ネジ部２０と、この雄ネジ部２０の上部を覆う短円筒状の第一カバー体２１とで構成されている。そして、前記雄ネジ部２０と螺合する雌ネジ部２２を有する締付体２３が、前記雄ネジ部２０に対して上下に昇降自在に取り付けられている。この締付体２３は、その上部に前記第一カバー体２１の外面を覆うことができる環状の凹部２４が形成されていると共に、その下部に下方に突出した環状の凸部２５が形成されている。そして、前記締付体２３の下部に当接して、上挟持体２６が設けられている。この上挟持体２６は、前記軸柱２に沿って上下に移動可能であると共に、その前方に机の天板等を挟持する挟持部２７が一体に形成されている。また、この挟持部２７の下面には、棒状のものを挟持するための挟持凹部２８が形成されたゴム製の滑り止め２９が取り付けられている。また、前記上挟持体２６の上部には、前記締付体２３の凸部２５を受ける環状の凹部３０が形成されている。なお、この凹部３０の深さＶは前記凸部２５の高さＷよりもやや浅く形成されている。更に、前記上挟持体２６の下部には、前記雄ネジ部２０及び後述する第三カバー体３６を覆う第二カバー体３１が一体に形成されている。なお、この第二カバー体３１は、前側が平面状の、断面Ｄ字型の筒状に形成されている。更に、前記軸柱２の雄ネジ部２０の下端には、前記上挟持体２６に対向して下挟持体３２が設けられている。この下挟持体３２は、図示しないナット等によって固定されていると共に、その前方に机の天板等を挟持する挟持部３３が一体に形成されている。また、この挟持部３３の上面には、棒状のものを挟持するための挟持凹部３４が形成されたゴム製の滑り止め３５が取り付けられている。更に、前記下挟持体３２の上部には、前記雄ネジ部２０を覆う第三カバー体３６が一体に形成されている。なお、この第三カバー体３６は、前記第二カバー体３１と同様に、前側が平面状の、断面Ｄ字型の筒状に形成されている。そして、前記締付体２３及び上挟持体２６が最上位にある状態、即ち前記締付体２３の凹部２４の底に前記第一カバー体２１の下端が当接し、この状態の締付体２３に上挟持体２６が当接した状態において、前記上挟持体２６の第二カバー体３１の下端から前記下挟持体３２の上面までの距離Ｘが上挟持体２６の可動範囲となる。また、前記締付体２３の凹部２４の深さＹは、前記上挟持体２６の可動距離Ｘよりも大きく形成されている。従って、前記締付体２３及び上挟持体２６が最下位にある状態であっても、第一カバー体２１の下端は締付体２３の凹部２４から外れることがなく、従って前記雄ネジ部２０が第一カバー体２１と締付体２３との間から露出するということがない。更に、前記下挟持体３２の第三カバー体３６の長さＺは、前記締付体２３及び上挟持体２６の可動距離Ｘよりも長く形成されている。従って、前記締付体２３及び上挟持体２６が最上位にある状態であっても、第二カバー体３１の下部と第三カバー体３６の上部が重なるため、前記雄ネジ部２０が第二カバー体３１と第三カバー体３６との間から露出するということがない。このように、前記クランプ機構３は、雄ネジ部２０、締付体２３、上挟持体２６、下挟持体３２から構成されている。
【００１２】
次に、本実施形態の作用について説明する。まず、このクランプ機構３を机の天板Ａに取り付ける場合について説明する。使用者は、まず照明装置１の下部に設けられたクランプ機構３の締付体２３を雄ネジ部２０に対して緩めることで、この締付体２３を軸柱２に沿って上昇させると共に、上挟持体２６を軸柱２に沿って上昇させることで、上挟持体２６と下挟持体３２との間隔を拡げる。そして、照明装置本体１４ごと照明装置１を把持し、前記上挟持体２６と下挟持体３２の挟持部２７，３３で机の天板Ａを挟むと共に、前記締付体２３を雄ネジ部２０に対して締め付けることで、この締付体２３を軸柱２に沿って下降させる。これによって、前記上挟持体２６は締付体２３によって押され、軸柱２に沿って下降する。このとき、前記締付体２３が前記上挟持体２６に当接した状態において、前記雄ネジ部２０と雌ネジ部２２の螺合部分は、前記上挟持体２６と略同じ高さに位置することになる。そして、このまま前記締付体２３を締め付けることで、前記上挟持体２６と下挟持体３２の挟持部２７，３３によって、机の天板Ａが挟持されることになり、これによって机の天板Ａにクランプ機構３が固定されることになる。そして、前述したとおり、前記雄ネジ部２０と雌ネジ部２２の螺合部分が前記上挟持体２６と略同じ高さであるので、前記クランプ機構３は机の天板Ａを強固に挟持することになり、照明装置１が揺れたとしても、クランプ機構３に過大な力が加わらない。また、前記照明装置本体１４が第一関節部４によって軸柱２に直接取り付けられているので、この軸柱２より上の照明装置本体１４をぐらつきにくくすることができるばかりでなく、この照明装置本体１４ごと机の天板Ａに取り付けることで、取付操作を容易にできる。また、前述したとおり、前記締付体２３を締め付けて上挟持体２６を最下位まで下降させたとしても、前記第一カバー体２１と締付体２３の間に隙間が空かず、従って雄ネジ部２０が露出してしまうことがない。更に、前記第二及び第三カバー体３１，３６は、共に正面側が平面の断面Ｄ字型の筒状に形成されているため、前記上挟持体２６が下降する際に回り止めされることになる。
【００１３】
次に、クランプ機構３を机の天板Ａから取り外す場合について説明する。使用者は、前記締付体２３を雄ネジ部２０に対して緩めることで、この締付体２３を軸柱２に沿って上昇させると共に、上挟持体２６を軸柱２に沿って上昇させることで、上挟持体２６と下挟持体３２との間隔を拡げる。そして、この拡がった上挟持体２６と下挟持体３２の挟持部２７，３３の間から、机の天板Ａを外す。このとき、前述したとおり、前記照明装置本体１４が第一関節部４によって軸柱２に直接取り付けられているので、前記照明装置本体１４ごと机の天板Ａから取り外すことで、取り外し操作を容易にできる。また、前記第二及び第三カバー体３１，３６によって雄ネジ部２０が覆われており、前記上挟持体２６が最上位にあっても第二及び第三カバー体３１，３６が重なっているため、この第二及び第三カバー体３１，３６の間において雄ネジ部２０が露出することがない。即ち、前記第二カバー体３１は、上挟持体２６の可動範囲を制限する作用を有するばかりでなく、前記第二及び第三カバー体３１，３６によって雄ネジ部２０を隠して外観をすっきりと見せる作用も有している。なお、前記照明装置本体１４については、それらの作用の説明を省略する。
【００１４】
以上のように本発明は、雄ネジ部２０が形成された軸柱２の下端部に下挟持体３２を固定し、この下挟持体３２に対向して上挟持体２６を軸柱２に沿って上下に移動可能とし、更に前記軸柱２の雄ネジ部２０と螺合する雌ネジ部２２を有する締付体２３を前記軸柱２に対して上下に昇降自在に取り付けたことで、締付体２３を締め付けることで上挟持体２６を下挟持体３２側に押し付け、これら上挟持体２６と下挟持体３２とで机の天板Ａ等を挟持するものであり、この際、締付体２３の雌ネジ部２２と雄ネジ部２０の螺合部分が上挟持体２６に対して比較的近くできることで、机の天板Ａ等は強固に挟持されることになり、また、機器たる照明装置本体１４を含む照明装置１が揺れたとしてもクランプ機構３に過大な力が加わらないようにできる。
【００１５】
また、本発明は、機器たる照明装置本体１４が第一関節部４によって軸柱２に対して直接取り付けられているので、クランプ機構３を操作することで、照明装置本体１４ごと照明装置１を机の天板Ａに対して着脱することができる。
【００１６】
なお、本発明は以上の実施形態に限定されるものではなく、発明の要旨の範囲内で種々の変形が可能である。例えば、本実施形態では、機器として照明装置を用いて説明したが、これ以外の機器、例えば電話台や原稿台等に用いても良い。
【００１７】
【発明の効果】
本発明の請求項１記載のクランプ機構は、雄ネジ部が形成された軸柱と、この軸柱の下方に固定された下挟持体と、前記軸柱に沿って上下方向に移動可能な上挟持体と、前記雄ネジ部と螺合する雌ネジ部を有すると共に前記上挟持体と当接してこの上挟持体を下挟持体側に移動させる締付体よりなるものであり、軸柱に沿って上下方向に移動可能な上挟持体と軸柱の下方に固定された下挟持体との間に机天板等が挟まれるようにし、締付体を締め付けることで、この上挟時体と下挟持体とで机天板等を締め付け、これによってクランプ機構が机天板等に固定されるので、螺合部分が机天板等に対して比較的低い位置となり、クランプに取り付けられた機器が揺れた時にクランプに対して加わる力を比較的小さくすることができる。
【００１８】
また、本発明の請求項２に記載のクランプ機構は、請求項１において、前記軸柱に対して機器が直接取り付けられているものであり、機器が直接取り付けられた軸柱に取り付けられた締付体を操作することで、前記軸柱に固定された下挟時体と軸柱に沿って上下に可動な上挟時体の間で机天板等が挟まれ、締め付けられるので、クランプ機構に対して機器をぐらつきにくくすることができる。
【図面の簡単な説明】
【図１】本発明の一実施形態を示すクランプ機構の右側面図である。
【図２】同上、使用状態を示す側面図である。
【図３】同上、上挟持体を最高位まで上昇させた状態における要部の断面図である。
【図４】同上、上挟持体を最低位まで下降させた状態における要部の断面図である。
【符号の説明】
２　軸柱
３　クランプ機構
１４　照明装置本体（機器）
２０　雄ネジ部
２２　雌ネジ部
２３　締付体
２６　上挟持体
３２　下挟持体
Ａ　机の天板
【図１】
2004060706.tif 000003
【図２】
2004060706.tif 000004
【図３】
2004060706.tif 000005
【図４】
2004060706.tif 000006
【手続補正書】
【提出日】平成15年4月18日(2003.4.18)
【手続補正１】
【補正対象書類名】明細書
【補正対象項目名】００１１
【補正方法】変更
【補正の内容】
【００１１】
前記軸柱２及びクランプ機構３について詳述する。前記軸柱２は、雄ネジ部２０と、この雄ネジ部２０の上部を覆う短円筒状の第一カバー体２１とで構成されている。そして、前記雄ネジ部２０と螺合する雌ネジ部２２を有する締付体２３が、前記雄ネジ部２０に対して上下に昇降自在に取り付けられている。この締付体２３は、その上部に前記第一カバー体２１の外面を覆うことができる環状の凹部２４が形成されていると共に、その下部に下方に突出した環状の凸部２５が形成されている。そして、前記締付体２３の下部に当接して、上挟持体２６が設けられている。この上挟持体２６は、前記軸柱２に沿って上下に移動可能であると共に、その前方に机の天板等を挟持する挟持部２７が一体に形成されている。また、この挟持部２７の下面には、棒状のものを挟持するための挟持凹部２８が形成されたゴム製の滑り止め２９が取り付けられている。また、前記上挟持体２６の上部には、前記締付体２３の凸部２５を受ける環状の凹部３０が形成されている。なお、この凹部３０の深さＶは前記凸部２５の高さＷよりもやや浅く形成されている。更に、前記上挟持体２６の下部には、前記雄ネジ部２０及び後述する第三カバー体３６を覆う第二カバー体３１が一体に形成されている。なお、この第二カバー体３１は、前側が平面状の、断面Ｄ字型の筒状に形成されている。更に、前記軸柱２の雄ネジ部２０の下端には、前記上挟持体２６に対向して下挟持体３２が設けられている。この下挟持体３２は、ナット等によって固定されていると共に、その前方に机の天板等を挟持する挟持部３３が一体に形成されている。また、この挟持部３３の上面には、棒状のものを挟持するための挟持凹部３４が形成されたゴム製の滑り止め３５が取り付けられている。更に、前記下挟持体３２の上部には、前記雄ネジ部２０を覆う第三カバー体３６が一体に形成されている。なお、この第三カバー体３６は、前記第二カバー体３１と同様に、前側が平面状の、断面Ｄ字型の筒状に形成されている。そして、前記締付体２３及び上挟持体２６が最上位にある状態、即ち前記締付体２３の凹部２４の底に前記第一カバー体２１の下端が当接し、この状態の締付体２３に上挟持体２６が当接した状態において、前記上挟持体２６の第二カバー体３１の下端から前記下挟持体３２の上面までの距離Ｘが前記上挟持体２６の可動範囲となる。また、前記締付体２３の凹部２４の深さＹは、前記上挟持体２６の可動距離Ｘよりも大きく形成されている。従って、前記締付体２３及び上挟持体２６が最下位にある状態であっても、第一カバー体２１の下端は締付体２３の凹部２４から外れることがなく、従って前記雄ネジ部２０が第一カバー体２１と締付体２３との間から露出するということがない。更に、前記下挟持体３２の第三カバー体３６の長さＺは、前記締付体２３及び上挟持体２６の可動距離Ｘよりも長く形成されている。従って、前記締付体２３及び上挟持体２６が最上位にある状態であっても、第二カバー体３１の下部と第三カバー体３６の上部が重なるため、前記雄ネジ部２０が第二カバー体３１と第三カバー体３６との間から露出するということがない。このように、前記クランプ機構３は、雄ネジ部２０、締付体２３、上挟持体２６、下挟持体３２から構成されている。


【手続補正２】
【補正対象書類名】明細書
【補正対象項目名】図面の簡単な説明
【補正方法】変更
【補正の内容】
【図面の簡単な説明】
【図１】本発明の一実施形態を示すクランプ機構の右側面図である。
【図２】同上、使用状態を示す側面図である。
【図３】同上、上挟持体を最上位まで上昇させた状態における要部の断面図である。
【図４】同上、上挟持体を最下位まで下降させた状態における要部の断面図である。
【符号の説明】
２　軸柱
３　クランプ機構
１４　照明装置本体（機器）
２０　雄ネジ部
２２　雌ネジ部
２３　締付体
２６　上挟持体
３２　下挟持体
Ａ　机の天板